(57)【要約】【課題】  内容液が充填された容器を振ることによって発生した泡を、極め細かく舌触りに優れた泡とすることを可能とする泡注出容器を創出することを課題とする。【解決手段】  内容液４０が充填された容器本体１０と、容器本体１０の口筒部１２を封止するキャップ２０と、を備えた泡注出容器であって、キャップ２０と口筒部１２との間に内容液４０の通過を可能とするメッシュ部３４を備えた中栓３０を設ける構成とする。【選択図】  図１
2020070061.tif 000002
【特許請求の範囲】
【請求項１】
内容液（４０）が充填された容器本体（１０）と、該容器本体（１０）の口筒部（１２）を封止するキャップ（２０）と、を備えた泡注出容器であって、
前記キャップ（２０）と前記口筒部（１２）との間に前記内容液（４０）の通過を可能とするメッシュ部（３４）を備えた中栓（３０）が設けられていることを特徴とする泡注出容器。
【請求項２】
中栓（３０）が、高さ方向に距離を隔てて対向配置される複数のメッシュ部（３４，３５）を備える請求項１記載の泡注出容器。
【請求項３】
中栓（３０）の下端に脚部（３９）が垂下設されており、該脚部（３９）の下端面にメッシュ部（３４）が配置されている請求項１又は２記載の泡注出容器。
【請求項４】
上段側のメッシュ部（３４）が下段側のメッシュ部（３５）よりも粗めの網目で形成されている請求項２記載の泡注出容器。
【請求項５】
中栓（３０）に対してプルリング部（３７）が分離可能な弱化部（３６）を介して連結されている請求項１乃至４のいずれか一項に記載の泡注出容器。
【発明の詳細な説明】
【技術分野】
【０００１】
本発明は、極めの細かい泡の生成を可能とする泡注出容器に関する。
【背景技術】
【０００２】
従来より、カップチーノコーヒーやココアといった飲料において、液状乳製品等の泡をコーヒーやココアの上に形成することにより、その飲料の味をマイルドにさせ、舌触りを滑らかにするといった飲み方が行われている。
【０００３】
泡を形成するにはいくつかの方法があるが、特許文献１に記載の発明では、飲料に乳化剤とエチルアルコールを添加し、気体と強制的に混和して泡を得るというものである。
【０００４】
また特許文献２に記載の発明においては、容器に基準容量よりも少ない量の飲料を充填することにより、泡を発生させるスペースを容器内に生じさせ、飲料を飲む前に消費者が容器を振ることで、十分な泡が生じた容器入り飲料の提供をする、というものである。
【先行技術文献】
【特許文献】
【０００５】
【特許文献１】特開平４−３５６１６０号公報
【特許文献２】特開２０１４−２７９４９号公報
【発明の概要】
【発明が解決しようとする課題】
【０００６】
しかし、上記の方法で形成された泡入りの飲料においては、起泡性、泡の大きさがばらつき、また、泡の安定性も十分ではなく飲料の味を低下させる虞があった。特に、極めの細かい泡は、舌触りが良く、消費者に優れたテクスチャーを与えるが、従来の方法ではより極めの細かい泡を得ることが困難であった。
【０００７】
本発明は、上記した従来技術における問題点を解消すべく、内容液が充填された容器を振とうすることによって発生した泡を、極め細かく舌触りに優れた泡とすることを可能とする泡注出容器を創出することを課題とする。
【課題を解決するための手段】
【０００８】
上記課題を解決するための手段のうち、本発明の主たる手段は、
内容液が充填された容器本体と、容器本体の口筒部を封止するキャップと、を備えた泡注出容器であって、
キャップと口筒部との間に内容液の通過を可能とするメッシュ部を備えた中栓が設けられていることを特徴とする、というものである。
本発明の主たる手段では、容器を振ることによって発生した様々な大きさから泡のうち大きな泡を除去して、小さな泡のみからなる気泡部とすることができる。
【０００９】
また本発明の他の手段は、上記主たる手段に、中栓が、高さ方向に距離を隔てて対向配置される複数のメッシュ部を備える、との手段を加えたものである。
上記手段では、複数回にわたって大きい泡を除去することができるため、より極めの細かな気泡部を確実に生成することができる。
【００１０】
また本発明の他の手段は、上記いずれかの手段に、中栓の下端に、脚部が垂下設されており、脚部の下端面にメッシュ部が配置されている、との手段を加えたものである。
上記手段では、上段側のメッシュ部と下段側のメッシュ部との間の高さ方向の距離を大きくすることができるため、よりも極めの細かい泡を得ることが可能となる。
【００１１】
また本発明の他の手段は、上記いずれかの手段に、上段側のメッシュ部が下段側のメッシュ部よりも粗めの網目で形成されている、との手段を加えたものである。
上記手段では、大きな粒径の泡から順に段階的に除去して微細化していくことができるため、より極めの細かな気泡部を得ることが可能となる。
【００１２】
また本発明の他の手段は、上記いずれかの手段に、中栓に対してプルリング部が分離可能な弱化部を介して連結されている、との手段を加えたものである。
上記手段では、中栓にプルリング部を一体に形成することができ、必要に応じて弱化部を破断させることでプルリング部を得ることが可能となる。
【発明の効果】
【００１３】
本発明では、内容液が充填された容器を振とうすることによって発生した泡を、より極めの細かい泡とすることにより、舌触りに優れた泡を生成することができる。
【図面の簡単な説明】
【００１４】
【図１】本発明の第１実施例として流通時における泡注出容器を示す断面図である。
【図２】泡を発生させた状態を示す泡注出容器の断面図である。
【図３】キャップを開放した使用状態を示す泡注出容器の断面図である。
【図４】注出時の一例を示す泡注出容器の断面図である。
【図５】本発明の第２実施例を示す泡注出容器の拡大部分断面図である。
【図６】本発明の第３実施例を示す泡注出容器の拡大部分断面図である。
【図７】Ａは本発明の第４実施例としての中栓を示す平面図、ＢはＡの中栓を備えた泡注出容器の断面図である。
【図８】第４実施例における使用例を示す泡注出容器の断面図である。
【発明を実施するための形態】
【００１５】
以下、本発明の実施の形態について図面を参照しつつ説明する。
図１は本発明の第１実施例として流通時における泡注出容器を示す断面図、図２は泡を発生させた状態を示す泡注出容器の断面図、図３はキャップを開放した使用状態を示す泡注出容器の断面図、図４は注出時の一例を示す泡注出容器の断面図である。
【００１６】
本発明に係る泡注出容器１は、例えばコーヒー、ココアなどの飲料、あるいは調味料などといった内容液に発生した泡を、より極めの細かい泡に変えることを可能とする容器である。
図１に示すように、泡注出容器１は、主として内容液が充填される容器本体１０と、この容器本体１０の口筒部１２を封止するキャップ２０と、口筒部１２とキャップ２０との間に配置される中栓３０とを有して構成されている。
【００１７】
容器本体１０は、底部１５から上方に向かって連設された略円筒状の胴部１４の上に、縮径状の肩部１３を介して起立設された細筒状の口筒部１２を備えた有底筒状の容器であり、口筒部１２の上部外周面には雄ネジ部１６が形成され、その下部位置には係止リング１７が周突設されている。本実施例に示す容器本体１０は、例えばペットボトルなどの合成樹脂材料で形成されているが、その他例えばボトル缶又はガラス瓶などとして形成されていても良い。
【００１８】
キャップ２０は、頂壁部２１の外周端に筒状の外周壁部２２が垂下設された有頂短筒状の部材である。頂壁部２１の下面には、容器本体１０側の口筒部１２の内周面に嵌合可能なインナーリング２３が周突設され、外周壁部２２の内周面には口筒部１２に設けられた雄ネジ部１６に螺合可能な雌ネジ部２４が形成されている。また外周壁部２２には滑り止め用のローレット２８が刻設され、外周壁部２２の下端には周方向の複数の位置に破断可能に設けられた連結リブ２５を介して連結された封止リング２６が設けられている。封止リング２６の内周面には係止突起２７が形成されており、この係止突起２７は容器本体１０側の係止リング１７に対して解除不能な状態で係合することが可能となっている。
【００１９】
中栓３０は、円筒状に形成された中栓本体３１と、この中栓本体３１の外側上端に外径方向に広がるように形成されたリング状の上フランジ部３２と、中栓本体３１の内側下端に設けられたリング状の下フランジ部３３とを有し、例えばポリエチレン等の熱可塑性の合成樹脂材料を射出成形するなどして一体に形成されている。そして、この下フランジ部３３の下端面にはメッシュ部３４が設けられている。メッシュ部３４は、例えば、中栓３０を射出成形する際、インサート成形され、中栓３０と一体的に成形されている。メッシュ部３４を構成する網目は、合成樹脂製であってもよいし、金属製であっても良い。
【００２０】
次に、上記構成からなる泡注出容器の作用について説明する。
キャップ２０を容器本体１０側に装着する前の状態においては、中栓３０はキャップ２０の内側に設けられている。容器本体１０に内容液を充填した後、中栓３０を備えたキャップ２０を容器本体１０の口筒部１２に螺合させて締め付けると、中栓本体３１の外周面が口筒部１２の内周面に嵌合密着することから、容器本体１０を封止することができる。また封止リング２６の係止突起２７が容器本体１０側の係止リング１７に係合することから、キャップ２０は口筒部１２から容易に離脱できない状態に設定される。そして、このような状態に設定された容器本体１０が、流通過程を経て消費者の下に届けられる。
【００２１】
消費者が泡付きの内容液を飲むには、飲む前に泡注出容器１を振とうさせて内容液４０を泡立たせる。すると、図２に示すように、内容液４０は液部４１と気泡部４２とに分離され、容器本体１０の底部１５側に溜った液部４１の上に気泡部４２が形成される。尚、ここで形成された気泡部４２は、様々な大きさからなる粗めの泡が混在するばらついた状態にある。
【００２２】
次に、図３に示すように、消費者はローレット２０を把持しながらキャップ２０を螺脱させて口筒部１２を開放させる。この際、キャップ２０はネジ送りされて上昇移動しようとするが、係止突起２７が容器本体１０側の係止リング１７に対して係合した状態にある封止リング２６は、キャップ２０と一緒に移動することができないためその位置に留まることになる。よって、キャップ２０を強く回すと、キャップ２０と封止リング２６との間を繋ぐ連結リブ２５が破断し、キャップ２０のみを口筒部１２から取り外すことが可能となる。よって、消費者は連結リブ２５の破断の有無を視認することにより、泡注出容器１が流通段階において不正に開封されたか否かを容易に見分けることができる。すなわち、キャップ２０の下端には、泡注出容器１の不正開封を未然に防止することが可能な不正開封防止機構が設けられている。
またこの際、中栓本体３１が口筒部１２の内周面に嵌合している中栓３０は、キャップ２０から外れ、容器本体１０側の口筒部１２に完全に移行するように設定されている。
【００２３】
次に、消費者は、泡注出容器１の姿勢を徐々に傾け、更には泡注出容器１の胴部１４をスクイズし、口筒部１２から内容液４０を注出させて外部に設けたカップ５０内に注ぎ込む（図４参照）。この際、内容液４０を構成する液部４１及び気泡部４２が中栓３０に設けられているメッシュ部３４を通過することになる。
【００２４】
ここで、メッシュ部３４は網目の細かいものが採用されている。このため、メッシュ部３４を通過することにより、泡注出容器１を振とうさせることで形成された気泡部４２のばらつきを除去し、すなわち粒径の大きな泡をフィルタリングし、それよりも小さな粒径からなる泡に変えること（以下、「微細化」という）で、極めの細かい泡のみから成る気泡部４２′をカップ５０内の液部４１上に生成することができる。すなわち、内容液（コーヒー等）の舌触りを滑らかにして優れたテクスチャーとすることができる
【００２５】
図５は本発明の第２実施例を示す泡注出容器の拡大部分断面図である。
第２実施例を示す泡注出容器が、上記第１実施例と異なる点は、中栓３０に設けられたメッシュ部３４の構成にあり、その他の構成及び効果は上記第１実施例同様である。よって、以下においては第１実施例と異なる点を中心に説明する。
第２実施例を示す泡注出容器１はメッシュ部３４を上下２段とした構成であり、中栓３０の下フランジ部３３の下端面に、第１実施例同様の下段側を構成するメッシュ部３４を配置し、下フランジ部３３の上端面に上段側を構成するメッシュ部３５を配置した構成である、
【００２６】
第２実施例を示す泡注出容器１では、泡注出容器１の姿勢を徐々に傾け、更に胴部１４をスクイズして口筒部１２から内容液４０を注出させてカップ５０内に注ぎ込むと、内容液４０の気泡部４２は最初に上段に設けられたメッシュ部３５において微細化され、続いて下段に設けられたメッシュ部３４において更に微細化される。このように、高さ方向に距離を隔てて対向する位置に、メッシュ部３４、３５を夫々配置することにより、泡を２度にわたって微細化することができるため、第１実施例に比較してフィルタリング機能が高まるため、極めの細かな気泡部４２′を確実に生成することができる。
【００２７】
下段側のメッシュ部３４と上段側のメッシュ部３５とは同じ粗さの網目で形成されていても良いし、異なる粗さの網目で形成されていても良い。あるいは上段側のメッシュ部３５を、下段側のメッシュ部３４よりも粗めの網目で形成する構成としても良く、この構成では上段側のメッシュ部３５が大きな粒径からなる泡を除去し、続く下段側のメッシュ部３４がそれよりも小さな中程度の大きさの粒径からなる泡を除去するというように、粒径に大きさにばらつきのある粗めの泡を段階的に微細化していくことができるため、第１実施例に比較してより極めの細かな泡から成る気泡部４２′を得ることが可能となる。尚、各メッシュ部３４、３５において除去する泡の大きさは、網目の粗度を適宜選択することにより調整することが可能である。
【００２８】
図６は本発明の第３実施例を示す泡注出容器の拡大部分断面図である。
第２実施例を示す泡注出容器が、上記第２実施例と異なる点は、中栓３０の下フランジ部３３の下端面に短筒状の脚部３９が一体に垂下設されており、この脚部３９の下端面に下段側を構成するメッシュ部３４を配置した点にある。尚、上段側のメッシュ部３５の構成は上記第２実施例同様である。
第２実施例を示す泡注出容器では、上段側のメッシュ部３５と下段側のメッシュ部３４との間の高さ方向の距離を、上記第２実施例よりも大きくすることができるため、第２実施例よりも極めの細かい泡を得ることが可能となる。
【００２９】
ところで、内容液注出後に空となった泡注出容器１は廃棄されることになるが、上述のとおり、容器本体１０と中栓３０とは異なる材料で形成されている場合があり、その場合には容器本体１０と中栓３０とを分別した状態で破棄することが望まれている。しかし、上記第１乃至第３実施例では中栓３０を容器本体１０の口筒部１２から容易に取り外すことができない虞ある。そこで、以下には、廃棄時に、容器本体１０の口筒部１２から容易に取り外すことのできる中栓３０について説明する。
【００３０】
図７のＡは本発明の第４実施例としての中栓を示す平面図、図７のＢは図７のＡの中栓を備えた泡注出容器の断面図、図８は第４実施例における使用例を示す泡注出容器の断面図である。
第３実施例を示す泡注出容器１が、上記第１実施例乃至は第３実施例と異なる点は、中栓３０の構成にあり、その他の構成及び効果は上記第１実施例乃至第３実施例同様である。よって、以下においては第１実施例乃至第３実施例と異なる点を中心に説明する。
【００３１】
図７のＡに示すように、第４実施例を示す泡注出容器１では、中栓３０を構成する上フランジ部３２の外周縁の近傍には、ミシン目又は薄肉部等からなる弱化部３６が外周縁に沿って略Ｃ字状に形成され、その外側にはプルリング部３７が一体に設けられている。プルリング部３７の一部（図７のＡでは右端部分）には、凸状に屈曲形成されて成る掛止凸部３８が設けられている。
【００３２】
中栓３０を口筒部１２から取り外すには、爪先等を掛止凸部３８の下端に掛止させた状態で上方に強く引上げ、略Ｃ字状に形成された弱化部３６を破断させる。すると、プルリング部３７を、その両端部３７ａを除いて上フランジ部３２から分離させることができる。分離後のプルリング部３７は両端部３７ａのみが中栓３０の上フランジ部３２に連結された状態にある。このため、図８に示すように、プルリング部３７内に指Ｆ等を差し込んで強く上方に引き上がることにより、中栓３０を容器本体１０の口筒部１２から容易に取り外すことができる。これにより、中栓３０を容器本体１０と分別して破棄することが可能となる。
【００３３】
以上、実施例に沿って本発明の構成とその作用効果について説明したが、本発明の実施の形態は上記実施例に限定されるものではない。
【００３４】
例えば、上記第２及び第３実施例では、２段構成のメッシュ部を示して説明したが、メッシュ部の段数は２段に限られるものではなく、３段、４段などその他複数の段構成であっても良い。その場合においても、上下に配置されるメッシュ部間においては、上段側のメッシュ部を下段側のメッシュ部よりも粗めの網目に設定する構成が好ましい。
【産業上の利用可能性】
【００３５】
本発明の泡注出容器は、内容液と泡とを一緒に注出する内容液を収容する注出容器の分野における用途展開を更に広い領域で図ることができる。
【符号の説明】
【００３６】
１    ：  泡注出容器
１０  ：  容器本体
１２  ：  口筒部
１３  ：  肩部
１４  ：  胴部
１５  ：  底部
１６  ：  雄ネジ部
１７  ：  係止リング
２０  ：  キャップ
２１  ：  頂壁部
２２  ：  外周壁部
２３  ：  インナーリング
２４  ：  雌ネジ部
２５  ：  連結リブ
２６  ：  封止リング
２７  ：  係止突起
２８  ：  ローレット
３０  ：  中栓
３１  ：  中栓本体
３２  ：  上フランジ部
３３  ：  下フランジ部
３４  ：  メッシュ部
３５  ：  メッシュ部
３６  ：  弱化部
３７  ：  プルリング部
３７ａ：  両端部
３８  ：  掛止凸部
３９  ：  脚部
４０  ：  内容液
４１  ：  液部
４２  ：  粗めの気泡部
４２′：  極め細かな気泡部
５０  ：  カップ
【図１】
2020070061.tif 000003
【図２】
2020070061.tif 000004
【図３】
2020070061.tif 000005
【図４】
2020070061.tif 000006
【図５】
2020070061.tif 000007
【図６】
2020070061.tif 000008
【図７】
2020070061.tif 000009
【図８】
2020070061.tif 000010